(57)【要約】【課題】  呼出通話時のマイク感度と、侵入者の監視等他の目的で動作させた場合のマイク感度が異なるインターホン装置を提供する。【解決手段】  玄関子機１は、訪問者または侵入者を検知する為の人感センサ１４を備え、玄関子機１が呼出操作された場合は、子機ＣＰＵ１５がマイクアンプ１１を制御して子機マイク１０を第１の感度で集音させ、同時にカメラ７を起動して居室親機のモニタに映像を表示させるが、人感センサ１４が感知動作した場合、居室親機からモニタ操作された場合、更にはカメラ７がズーム／ワイド操作された場合は、子機ＣＰＵ１５が第１の感度より高い第２の感度で子機マイク１０を集音させて、集音した音声を居室親機で報音させる。【選択図】  図２
2010081074.tif 000002
【特許請求の範囲】
【請求項１】
玄関等に設置されて居住者を呼び出して通話する機能を備えた玄関子機と、住戸内に設置されて前記玄関子機からの呼び出しに応答する機能を備えた居室親機とを有するインターホン装置において、
前記玄関子機は、訪問者または侵入者を検知する為の人感センサと、内蔵されているマイクの感度を変更する感度制御手段とを備える一方、前記居室親機は、前記玄関子機の呼出操作、或いは前記人感センサの感知動作を受けて、前記マイクが集音した音を前記居室親機に内蔵されているスピーカから報音させる報音制御手段を備え、
前記感度制御手段は、前記玄関子機が呼出操作された場合は、前記マイクを所定の第１の感度で集音させる一方、前記人感センサが感知動作した場合は、前記第１の感度より高い第２の感度で集音させることを特徴とするインターホン装置。
【請求項２】
前記玄関子機が訪問者を撮像するためのカメラを備え、前記居室親機が前記カメラの撮像映像を表示するモニタを備えたインターホン装置にあっては、
前記人感センサが感知動作したら、前記カメラを起動して前記モニタに表示させる表示制御手段を有することを特徴とする請求項１記載のインターホン装置。
【請求項３】
玄関等に設置されて訪問者を撮像するためのカメラを有し、居住者を呼び出して通話する機能を備えた玄関子機と、住戸内に設置されて前記カメラの撮像映像を表示するモニタを有し、前記玄関子機からの呼び出しに応答する機能を備えた居室親機とを有するインターホン装置において、
前記居室親機は、前記カメラ及び前記玄関子機に内蔵されたマイクを起動させるモニタボタンを備えると共に、前記玄関子機は内蔵しているマイクの感度を変更制御する感度制御手段を備え、
前記感度制御手段は、前記玄関子機が呼出操作された場合は、前記マイクを所定の第１の感度で集音させ、前記モニタボタンが操作された場合は、前記第１の感度より高い第２の感度で集音させることを特徴とするインターホン装置。
【請求項４】
玄関等に設置されて訪問者を撮像するためのカメラを有し、居住者を呼び出して通話する機能を備えた玄関子機と、住戸内に設置されて前記カメラの撮像映像を表示するモニタを有し、前記玄関子機からの呼び出しに対して応答する機能を備えた居室親機とを有するインターホン装置において、
前記居室親機は、前記モニタに表示されるカメラ撮像映像をズーム／ワイド或いはパン／チルト操作するカメラ操作部を有する一方、前記玄関子機は、内蔵しているマイクの感度を変更制御する感度制御手段を備え、
前記感度制御手段は、前記玄関子機が呼出操作された場合は、前記マイクを所定の第１の感度で集音させ、通話状態において前記カメラ操作部が操作されたら、前記玄関子機のマイク感度を前記第１の感度より高い第２の感度で集音させることを特徴とするインターホン装置。
【請求項５】
玄関等に設置されて訪問者を撮像するためのカメラを有し、居住者を呼び出して通話する機能を備えた玄関子機と、住戸内に設置されて前記カメラの撮像映像を表示するモニタを有し、前記玄関子機からの呼び出しに応答する機能を備えた居室親機とを有するインターホン装置において、
前記居室親機に前記カメラと前記玄関子機に内蔵されたマイクとを起動させるモニタボタンと、前記玄関子機に訪問者または侵入者を検知して前記マイクを起動させる人感センサとの少なくとも一方を設け、更に前記玄関子機に前記マイクの感度を少なくとも２段階変更する感度制御手段を設け、
前記感度制御手段が、前記玄関子機が呼出操作を受けた場合のみ最も低い感度で前記マイクを起動させ、前記モニタボタン動作或いは前記人感センサ動作等他の集音動作の場合は、前記呼出操作時より高い感度で集音させることを特徴とするインターホン装置。
【発明の詳細な説明】
【技術分野】
【０００１】
本発明はインターホン装置に関し、詳しくは玄関子機から離れた場所で発生する音も集音可能としたインターホン装置に関する。
【背景技術】
【０００２】
従来より居住者を呼び出すために玄関等に設置された玄関子機に人感センサを設けて、訪問者が呼出操作する前に或いは侵入者を検知し、玄関子機のカメラを起動させて訪問者或いは侵入者の撮像を行うインターホン装置がある。このようなインターホン装置は、人感センサの感知動作を受けて居室親機のモニタにその映像が出画され、同時に玄関子機のマイクが集音を開始して、居室親機のスピーカで報音されるよう構成されている（例えば、特許文献１参照）。
【０００３】
また、従来より居室親機に玄関子機を操作するためのモニタボタンを設けて、居室親機側の操作で玄関子機のカメラを起動させて、玄関周りをモニタすることができるインターホン装置がある（例えば、特許文献２参照）。このモニタボタンの操作によっても、上記人感センサ動作の場合と同様に、玄関子機のカメラが起動して居室親機のモニタにカメラの撮像映像が出画されると同時に、玄関子機のマイクが集音を開始して、居室親機のスピーカで報音される。
【０００４】
【特許文献１】特開２００８−６０９６３号公報
【特許文献２】特開平９−７００３７号公報
【発明の開示】
【発明が解決しようとする課題】
【０００５】
上記従来のインターホン装置の場合、呼出ボタンが押されなくても玄関子機のカメラ及びマイクを能動として不審者や侵入者を監視することができた。しかしながら、玄関子機のマイクは、訪問者と通話する際に良好に訪問者音声を集音するために設置されているため、玄関子機の近くに居る訪問者の音声は良好に集音するものであるが、人感センサが動作した場合やモニタボタン操作により集音する場合は、侵入者が玄関子機の近くにいることはなく、また静かに行動するため、玄関子機のマイクでは侵入者の動静を集音することはできなかった。
また、音声が小さい場合は居室親機側で音量を大きくして報音させる構成が考えられるが、ボリューム操作程度では玄関子機から離れた場所の音を確認することは難しかった。
【０００６】
そこで、本発明はこのような問題点に鑑み、呼出通話時のマイク感度と、侵入者の監視等他の目的で動作させた場合のマイク感度が異なるインターホン装置を提供することを目的とする。
【課題を解決するための手段】
【０００７】
上記課題を解決する為に、請求項１の発明は、玄関等に設置されて居住者を呼び出して通話する機能を備えた玄関子機と、住戸内に設置されて玄関子機からの呼び出しに応答する機能を備えた居室親機とを有するインターホン装置において、玄関子機は、訪問者または侵入者を検知する為の人感センサと、内蔵されているマイクの感度を変更する感度制御手段とを備える一方、居室親機は、玄関子機の呼出操作、或いは人感センサの感知動作を受けて、マイクが集音した音を居室親機に内蔵されているスピーカから報音させる報音制御手段を備え、感度制御手段は、玄関子機が呼出操作された場合は、マイクを所定の第１の感度で集音させる一方、人感センサが感知動作した場合は、第１の感度より高い第２の感度で集音させることを特徴とする。
この構成によれば、人感センサが動作した場合のマイク感度は呼出通話時のマイク感度より高いので、小さな物音や音声を聞き取ることが可能となる。よって、玄関子機から離れた位置に侵入者が居る場合でも物音や音声を聞き取ることが可能となり、防犯性が向上する。また、居室親機に比べ安価な玄関子機のみを交換するだけでこの構成を実施することが可能であり、安価に防犯性を向上させたインターホンに変更できる。
【０００８】
請求項２の発明は、請求項１に記載の発明において、玄関子機が訪問者を撮像するためのカメラを備え、居室親機がカメラの撮像映像を表示するモニタを備えたインターホン装置にあっては、人感センサが感知動作したら、カメラを起動してモニタに表示させる表示制御手段を有することを特徴とする。
この構成によれば、侵入者がいる場合に、音声と共に映像により監視でき、更に防犯性を向上できる。
【０００９】
請求項３の発明は、玄関等に設置されて訪問者を撮像するためのカメラを有し、居住者を呼び出して通話する機能を備えた玄関子機と、住戸内に設置されて前記カメラの撮像映像を表示するモニタを有し、玄関子機からの呼び出しに応答する機能を備えた居室親機とを有するインターホン装置において、居室親機は、カメラ及び玄関子機に内蔵されたマイクを起動させるモニタボタンを備えると共に、玄関子機は内蔵しているマイクの感度を変更制御する感度制御手段を備え、感度制御手段は、玄関子機が呼出操作された場合は、マイクを所定の第１の感度で集音させ、モニタボタンが操作された場合は、第１の感度より高い第２の感度で集音させることを特徴とする。
この構成によれば、居室親機の操作により玄関子機を起動させた場合のマイク感度は、呼出通話時のマイク感度より高いので、小さな物音や音声を聞き取ることが可能となる。よって、玄関子機から離れた位置に侵入者が居る場合でも、物音や音声を聞き取ることが可能となり、防犯性が向上する。また、居室親機に比べ安価な玄関子機のみを交換するだけでこの構成を実施することが可能であり、安価に防犯性を向上させたインターホンに変更できる。
【００１０】
請求項４の発明は、玄関等に設置されて訪問者を撮像するためのカメラを有し、居住者を呼び出して通話する機能を備えた玄関子機と、住戸内に設置されてカメラの撮像映像を表示するモニタを有し、玄関子機からの呼び出しに応答する機能を備えた居室親機とを有するインターホン装置において、居室親機は、モニタに表示されるカメラ撮像映像をズーム／ワイド或いはパン／チルト操作するカメラ操作部を有する一方、玄関子機は、内蔵しているマイクの感度を変更制御する感度制御手段を備え、感度制御手段は、玄関子機が呼出操作された場合は、マイクを所定の第１の感度で集音させ、通話状態においてカメラ操作部が操作されたら、玄関子機のマイク感度を前記第１の感度より高い第２の感度で集音させることを特徴とする。
この構成によれば、通話状態でも、ズーム／ワイド操作或いはパン／チルト操作するとマイク感度が上がるので、小さな物音や音声を聞き取ることが可能となる。よって、玄関子機から離れた位置に不審者や侵入者が居る場合でも音声等を聞き取ることが可能となり、防犯性が向上する。また、居室親機に比べ安価な玄関子機のみを交換するだけでこの構成を実施することが可能であり、安価に防犯性を向上させたインターホンに変更できる。
【００１１】
請求項５の発明は、玄関等に設置されて訪問者を撮像するためのカメラを有し、居住者を呼び出して通話する機能を備えた玄関子機と、住戸内に設置されてカメラの撮像映像を表示するモニタを有し、玄関子機からの呼び出しに応答する機能を備えた居室親機とを有するインターホン装置において、居室親機にカメラと玄関子機に内蔵されたマイクとを起動させるモニタボタンと、玄関子機に訪問者または侵入者を検知してマイクを起動させる人感センサとの少なくとも一方を設け、更に玄関子機にマイクの感度を少なくとも２段階変更する感度制御手段を設け、感度制御手段が、玄関子機が呼出操作を受けた場合のみ最も低い感度でマイクを起動させ、モニタボタン動作或いは人感センサ動作等他の集音動作の場合は、呼出操作時より高い感度で集音させることを特徴とする。
この構成によれば、玄関子機からの呼出操作以外はマイクが高感度で集音動作する。よって、玄関子機近くに確実に人物が居る場合を除き高感度で音声を集音でき、防犯性を向上できる。また、居室親機に比べ安価な玄関子機のみを交換するだけでこの構成を実施することが可能であり、安価に防犯性を向上させたインターホンに変更できる。
【発明の効果】
【００１２】
本発明によれば、人感センサが動作した場合のマイク感度は呼出通話時のマイク感度より高いので、小さな物音や音声を聞き取ることが可能となる。よって、玄関子機から離れた位置に侵入者が居る場合でも物音や音声を聞き取ることが可能となり、防犯性が向上する。また、居室親機に比べ安価な玄関子機のみを交換することで本発明を実施することが可能であり、安価に防犯性を向上させたインターホンに変更できる。
また、居室親機操作で玄関周りの映像を見る場合も、高いマイク感度で集音するので、小さな物音や音声を聞き取ることが可能となる。よって、玄関子機から離れた位置に侵入者が居る場合でも音声等を聞き取ることが可能となり、防犯性が向上する。
【発明を実施するための最良の形態】
【００１３】
以下、本発明を具体化した実施の形態を、図面に基づいて詳細に説明する。図１は本発明に係るインターホン装置の構成図であり、１は玄関等住戸外に設置されて居住者を呼び出して通話するための玄関子機、２は住戸内に設置されて玄関子機１からの呼び出しに応答するための居室親機、３は人物の接近を感知する人感センサを備えて、人物が接近したら撮像を行うセンサカメラであり、玄関子機１と居室親機２、センサカメラ３と居室親機２はそれぞれ伝送線Ｌ１，Ｌ２により接続されている。
【００１４】
図２は玄関子機１の回路ブロック図であり、居住者を呼び出すための呼出ボタン６、訪問者を撮像するためのカメラ７及びカメラ駆動回路７ａ、映像信号の変調処理等を実施する映像処理回路８、映像信号を送信するための映像インターフェース（映像ＩＦ）９、通話するための子機マイク１０及びマイク駆動回路１０ａ、音声信号を増幅するマイクアンプ１１、通話するため及び警報音等を発報するための子機スピーカ１２及びスピーカアンプ１２ａ、居室親機２と通話路を形成するための通話インターフェース（通話ＩＦ）１３、人物の接近を検知する人感センサ１４、玄関子機１全体を制御する子機ＣＰＵ１５、居室親機２との間で通信を可能とするデータインターフェース（データＩＦ）１６、映像信号、音声信号、データを混合／分離する子機信号混合分離回路１７等を備えている。
【００１５】
図３は居室親機の回路ブロック図であり、呼び出しに応答するための通話ボタン１９、カメラ７が撮像した映像を表示するモニタとしてのＬＣＤ２０及びＬＣＤ制御回路２０ａ、映像信号を受信するための映像インターフェース（映像ＩＦ）２１、通話するための親機マイク２２及びマイクアンプ２２ａ、通話するため及び警報を発報するための親機スピーカ２３及びスピーカアンプ２３ａ、呼出音や警報音を生成する報知音発生回路２４、玄関子機１と通話路を形成するための通話インターフェース（通話ＩＦ）２５、カメラ７のズーム／ワイド、パン／チルト等の映像操作を行うカメラ操作ボタン２６、カメラ７及び子機マイク１０を起動させるモニタボタン２７、居室親機２全体を制御する親機ＣＰＵ２８、玄関子機との間で通信を可能とするデータインターフェース（データＩＦ）２９、映像信号、音声信号、データを混合／分離する親機信号混合分離回路３０等を備えている。
【００１６】
尚、センサカメラ３は、図１に示すようにカメラ３３、人感センサ３４に加えて、マイク３５及びスピーカ３６を備え、人感センサ３４の動作を受けてカメラ３３が撮像を開始したら、マイク３５も合わせて能動となり、居室親機２において映像に合わせて物音や音声を確認できるよう構成されている。また、その後居室親機２により通話操作が成されたら、スピーカ３６も能動となり、接近した人物と通話ができるよう構成されている。
【００１７】
このように構成されたインターホン装置は次のように動作する。最初に呼出／応答動作を説明する。訪問者が玄関子機１の呼出ボタン６を押下すると、子機ＣＰＵ１５の制御により呼出信号がデータＩＦ１６、子機信号混合分離回路１７、伝送線Ｌ１を介して居室親機２へ伝送される。また、カメラ７が起動して、その撮像映像が映像処理回路８、映像ＩＦ９、子機信号混合分離回路１７、伝送線Ｌ１を介して居室親機２に伝送される。
【００１８】
居室親機２では、受信した呼出信号及び映像信号が、親機信号混合分離回路３０で分離され、呼出信号はデータＩＦ２９を介して親機ＣＰＵ２８に伝送される。親機ＣＰＵ２８は、呼出信号を受信したら報知音発生回路２４を制御して呼出音を生成し、スピーカアンプ２３ａを介して親機スピーカ２３より呼出音を報音させる。また、ＬＣＤ制御回路２０ａを制御し、親機信号混合分離回路３０で分離された映像信号を、映像ＩＦ２１、ＬＣＤ制御回路２０ａを介してＬＣＤ２０で出画させる。
【００１９】
親機スピーカ２３から報音された呼出音を認識した居住者により、通話ボタン１９が操作されたら、それを検出した親機ＣＰＵ２８により、通話信号をデータＩＦ２９、親機信号混合分離回路３０、伝送線Ｌ１を介して玄関子機１に通話信号が送信される。同時に、親機ＣＰＵ２８は親機マイク２２を能動とし、集音された音声をマイクアンプ２２ａ、通話ＩＦ２５、親機信号混合分離回路３０、伝送線Ｌ１を介して玄関子機１に送信する。
【００２０】
玄関子機１に送信された通話信号は、子機信号混合分離回路１７、データＩＦ１６を介して、子機ＣＰＵ１５に送信される。通話信号を受けた子機ＣＰＵ１５は、マイクアンプ１１の増幅度を「感度＝中」として子機マイク１０を能動とし、集音された音声が通話ＩＦ１３、子機信号混合分離回路１７、伝送線Ｌ１を介して居室親機２へ送信される。
また、合わせて居室親機２から送信された音声は、子機信号混合分離回路１７で分離され、通話ＩＦ１３、スピーカアンプ１２ａを介して子機スピーカ１２より出力される。こうして居室親機２と玄関子機１の間で通話路が形成され、通話が成立する。
【００２１】
尚、子機ＣＰＵ１５は、上述したように呼出操作を受けて子機マイク１０を能動とした場合は、子機マイク１０が標準感度である「感度＝中」（第１の感度）で集音するようマイクアンプ１１を制御し、他の操作或いは信号を受けた場合は、「感度＝中」より高感度な「感度＝大」（第２の感度）で子機マイク１０が集音するようマイクアンプ１１を制御するよう設定されている。
【００２２】
但し、居室親機２において子機マイク１０が集音した音声が出力され、ＬＣＤ２０にカメラ７の撮像映像が表示されている状態で、カメラ操作ボタン２６がズーム／ワイド操作、或いはパン／チルト操作されると、マイクアンプ１１の増幅度が「感度＝大」に変更され、子機マイク１０は高感度で集音を行う。
具体的には、カメラ操作ボタン２６の操作を受けて親機ＣＰＵ２８はズーム／ワイド信号或いはパン／チルト信号（以下、カメラ操作信号とする）を送出する。このカメラ操作信号は、データＩＦ２９、親機信号混合分離回路３０、伝送線Ｌ１を介して玄関子機１へ送信される。
【００２３】
玄関子機１では、このカメラ操作信号が、子機信号混合分離回路１７、データＩＦ１６を介して子機ＣＰＵ１５に送信され、子機ＣＰＵ１５が撮像中のカメラ７のズーム／ワイド操作等を実施する。具体的に、子機ＣＰＵ１５は、カメラ操作信号に基づいて映像処理回路８を制御し、カメラ７が撮像した映像データからズーム／ワイド映像データ、或いはパン／チルト映像データを作成し、カメラ操作信号に基づく所望の映像を生成して居室親機２へ送信する。
こうして映像処理回路８で生成されて送出された映像信号は、呼出動作と同様の経路を通り居室親機２のＬＣＤに表示される。同時に、子機ＣＰＵ１５は、カメラ操作信号を受けると、マイクアンプ１１の増幅度を「感度＝大」に変更し、集音した音声を引き続き居室親機２へ向けて送出する。
【００２４】
このように、呼出通話状態でも、訪問者が移動して玄関子機から離れたり立ち位置が不自然な場合等、訪問者を撮像するためにカメラを操作した場合に、連動してマイク感度が上がる。こうして、小さな物音や音声を聞き取ることが可能となり、防犯性が向上する。
また、カメラのズーム／ワイド操作等が可能な居室親機が設置されている場合は、居室親機に比べ安価な玄関子機のみを交換するだけでこの構成を実施でき、安価に防犯性を向上させたインターホンに変更できる。
【００２５】
尚、センサカメラ３が人物の接近を感知して撮像を開始した場合も、センサカメラ３の撮像映像が居室親機２のＬＣＤ２０に表示され、合わせてマイク３５が集音した音声や物音も報音されるが、この場合も玄関子機１の子機マイク１０を「感度＝大」で能動とし、センサカメラ３のマイク３５と合わせて居室親機２から報音させても良い。
【００２６】
次に、玄関子機１の人感センサ１４が人物の接近を感知した場合の動作を説明する。インターホン装置が動作しない待受状態で、人感センサ１４が不審者等人物の接近を検知すると、子機ＣＰＵ１５に感知信号を出力する。子機ＣＰＵ１５は、この感知信号を受けて、居室親機２に対してセンサ動作信号を送信する。また、子機マイク１０及びカメラ７を起動させて、集音した音声、及び玄関周りの映像を送信する。但し、人感センサ１４の動作を受けて、子機ＣＰＵ１５はマイクアンプ１１の増幅度を「感度＝大」に制御して子機マイク１０を起動させる。
センサ動作信号は、データＩＦ２９、子機信号混合分離回路１７、伝送線Ｌ１を経て居室親機２に送信され、音声信号、映像信号は上記呼出通話動作と同様に、居室親機２に送信される。
【００２７】
居室親機２は、センサ動作信号を受けた親機ＣＰＵ２８が、報知音発生回路２４を制御して親機スピーカ２３から警報音を報音させる。そして、送信された音声を親機スピーカ２３から出力させ、送信された撮像映像をＬＣＤ２０に表示させる。
【００２８】
このように、人感センサが動作した場合のマイク感度は、呼出通話時のマイク感度より高いので、小さな物音や音声を聞き取ることが可能となる。よって、玄関子機から離れた位置に侵入者が居る場合でも物音や音声を聞き取ることが可能となり、防犯性が向上する。また、音声と共に映像により監視でき、更に防犯性を向上できる。
更に、人感センサの動作を受けて子機マイクの感度を上げるこの構成も、居室親機として従来の居室親機を使用することが可能であり、居室親機に比べ安価な玄関子機のみを交換するだけでこの構成を実施することができ、安価に防犯性を向上させたインターホンに変更できる。
【００２９】
尚、この場合、警報音を認識してＬＣＤ２０を見ている居住者がカメラ操作ボタン２６を操作してズーム／ワイド操作が成された場合に、撮像中のカメラ７がズーム／ワイド動作を実施すると共に、ズーム／ワイド信号に基づき子機ＣＰＵ１５が「感度＝大」より更に高い感度で子機マイク１０が動作するようマイクアンプ１１を制御しても良い。このように動作させれば、更に小さな物音でも聞き取るとことが可能となり、防犯に有効となる。
【００３０】
居住者により居室親機２のモニタボタン２７が操作された場合は、以下のように動作する。待受状態でモニタボタン２７が操作されると、親機ＣＰＵ２８は、データＩＦ２９、親機信号混合分離回路３０、伝送線Ｌ１を介して玄関子機１へモニタ信号を送信する。玄関子機１では、子機信号混合分離回路１７、データＩＦ１６を介して、モニタ信号が子機ＣＰＵ１５に送信される。
【００３１】
子機ＣＰＵ１５は、モニタ信号を受けてカメラ７を起動し、撮像した映像を映像処理回路８、映像ＩＦ９、子機信号混合分離回路１７、伝送線Ｌ１を介して居室親機２へ送信する。また、マイクアンプ１１の増幅度を「感度＝大」に制御しして子機マイク１０を起動し、子機マイク１０から集音した音声をマイクアンプ１１、通話ＩＦ１３、子機信号混合分離回路１７、伝送線Ｌ１を介して居室親機２へ送信する。
【００３２】
居室親機２では、呼出通話と同様な動作で親機スピーカ２３から子機マイク１０が集音した音声を出力し、ＬＣＤ２０からカメラ７撮像映像を表示する。これにより、玄関子機１近傍の映像及び音声を視聴できる。尚、この時、子機スピーカ１２はオフ状態にあり、親機マイク２２で集音された音声は玄関子機１からは出力されない。
【００３３】
このように、居室親機の操作により玄関子機を起動させた場合は、マイク感度は呼出通話時のマイク感度より高いので、小さな物音や音声を聞き取ることが可能となる。よって、玄関子機から離れた位置に侵入者が居る場合でも物音や音声を聞き取ることが可能となり、防犯性が向上する。また、モニタボタンを備えた居室親機であれば、従来の親機が使用でき、安価な玄関子機のみを交換するだけでこの構成を実施することが可能であり、安価に防犯性を向上させたインターホンに変更できる。
そして、以上説明したように、玄関子機からの呼出操作以外は、マイクが「感度＝大」で集音動作するため、玄関子機近くに確実に人物が居る場合を除き高感度で音声を集音でき、防犯性を向上できる。
【００３４】
尚、モニタボタン２７の操作により、カメラ７の撮像映像が表示されたＬＣＤ２０を見ている居住者が、カメラ操作ボタン２６を操作してズーム／ワイド操作した場合に、撮像中のカメラ７がズーム／ワイド動作を実施させると共に、ズーム／ワイド信号に基づき、子機ＣＰＵ１５が「感度＝大」より更に高い感度で子機マイク１０が動作するようマイクアンプ１１を制御しても良い。このように動作させれば、更に小さな物音でも聞き取るとことが可能となり、防犯に有効となる。
【００３５】
また、上記実施形態においては、玄関子機１のマイクアンプ１１の増幅度の可変により「感度＝中」「感度＝大」を実施させたが、マイクアンプ１１とは別に感度可変用アンプを設けても良いし、マイク周辺回路のインピーダンスを変化させて感度を可変としても良い。
更に、上記実施形態においては、パン／チルト操作においては、玄関子機１のカメラ７自体は固定しておき、撮像された映像の電子的処理により撮像方向の変更を実施する構成を説明したが、パン／チルト操作を機構を設けて機械的に操作しても良い。また、子機マイク１０においては、集音方向が異なる複数の固定マイクからの選択、または複数の固定マイクから同時に集音された音声の電子処理による集音方向の可変としても良い。
【図面の簡単な説明】
【００３６】
【図１】本発明に係るインターホン装置の実施形態の一例を示す構成図である。
【図２】玄関子機の回路ブロック図である。
【図３】居室親機の回路ブロック図である。
【符号の説明】
【００３７】
１・・玄関子機、２・・居室親機、６・・呼出ボタン、７・・カメラ、１０・・子機マイク、１２・・子機スピーカ、１４・・人感センサ、１５・・子機ＣＰＵ（感度制御手段、表示制御手段）、１９・・通話ボタン、２０・・ＬＣＤ、２２・・親機マイク、２３・・親機スピーカ、２６・・カメラ操作ボタン、２７・・モニタボタン、２８・・親機ＣＰＵ（報音制御手段）。
【図１】
2010081074.tif 000003
【図２】
2010081074.tif 000004
【図３】
2010081074.tif 000005